(57)【要約】【課題】小動物を逃がすことなく確実に捕獲することができる小動物捕獲器を提供する。【解決手段】側面入口が形成された捕獲箱内には、上記入口に臨むようにシーソー板が設けられ、上記シーソー板は入口から侵入した小動物が奥に移動することにより奥に向かって傾斜するようバランスされるとともに、入口から侵入した小動物が奥に移動して奥に向かって傾斜した状態で入口側端部が入口の開口高さを超えることによりシーソー板が入口を閉鎖するよう構成され、上記奥に向かって下り傾斜となったシーソー板の傾斜状態を保持してロックするロック機構を備え、上記ロック機構はシーソー板の入口側端部が入口の開口上部との間に隙間を作る第１段階と、入口側端部が入口の開口高さを超えて入口を閉鎖する第２段階との２段階にシーソー板の傾斜状態を保持してロックするよう構成されている。【選択図】図２
2009183274.tif 000002
【特許請求の範囲】
【請求項１】
捕獲箱に形成された入口を閉鎖することにより上記入口から侵入した小動物を捕獲する小動物捕獲器であって、
捕獲箱内には、上記入口に臨むようにシーソー板が設けられ、
上記シーソー板は、入口から侵入した小動物が奥に移動することにより奥に向かって傾斜するよう構成されるとともに、入口から侵入した小動物が奥に移動して奥に向かって傾斜した状態で入口を閉鎖するよう構成され、
上記奥に向かって下り傾斜となったシーソー板の傾斜状態を保持してロックするロック機構を備えたことを特徴とする小動物捕獲器。
【請求項２】
上記ロック機構は、シーソー板が入口との間に隙間を作る第１段階と入口を閉鎖する第２段階との２段階にシーソー板の傾斜状態を保持してロックするよう構成されている請求項１記載の小動物捕獲器。
【請求項３】
上記第２段階でロックされた状態のシーソー板をロック状態で固定する固定機構を備えている請求項２記載の小動物捕獲器。
【請求項４】
上記捕獲箱の入口上部には、入口から捕獲箱内に進入した小動物の尻尾がシーソー板と捕獲箱の間に挟まれるのを防止する切欠きが形成されている請求項１〜３のいずれか一項に記載の小動物捕獲器。
【請求項５】
上記シーソー板の奥側端部には上下変動可能な可動板が連結され、上記可動板は、小動物がシーソー板奥側の所定範囲を超えるまではシーソー板の傾斜状態を初期位置で保持するとともに、小動物が所定範囲を超えてシーソー板奥側に移動したときにシーソー板を奥側に向かって傾斜させるよう構成されている請求項１〜４のいずれか一項に記載の小動物捕獲器。
【請求項６】
上記捕獲箱には、上記捕獲箱に捕獲された小動物が進入する進入路が並設され、上記進入路には、上記捕獲箱から進入路に進入した小動物が載ることにより上記ロック機構を解除するロック解除手段を備えている請求項１〜５のいずれか一項に記載の小動物捕獲器。
【発明の詳細な説明】
【技術分野】
【０００１】
本発明は、ネズミ等の小動物を捕獲するために使用される小動物捕獲器に関する。
【背景技術】
【０００２】
従来より、ネズミ等の小動物を捕獲するために、例えば下記の特許文献１に示すように、シーソー板を利用した小動物捕獲箱が提供されている。この小動物捕獲箱は、鼠がシーソーの中央より奥に入って行くと、その重さによってシーソーの奥側が少し下がる。すると、回転軸が下側に離れているのでバランスがくずれ、奥側がいっきに底まで下がり、シーソー下部の磁石と箱底の磁石の吸引力で固定される。この状態で、シーソー入口がふさがれることにより鼠が逃げられなくなるようにしている。
【特許文献１】実用新案登録第３１１３７８６号公報
【発明の開示】
【発明が解決しようとする課題】
【０００３】
上記小動物捕獲箱は、シーソーの奥側がいっきに下がったときに磁石の吸引力で固定するようになっている。このため、捕獲された小動物が驚いて暴れだすと磁石が外れてしまい、せっかく捕獲した小動物に逃げられてしまうという問題がある。一方、鼠等の小動物は尻尾が長く、体長の約１／２は尻尾の長さが占めている。したがって、シーソーの奥側がいっきに下がったときに、磁石の吸引力でシーソーが固定される前に鼠等の尻尾がシーソーと入口の間に挟まってしまい、磁石同士の間にその分隙間が出来て十分に固定することができない。一方、鼠等は、尻尾が挟まることにより異変を感じて逃げようとするので、この状態で鼠等が逆戻りすると、簡単にシーソーが元にもどってしまってせっかく箱に入った鼠等に簡単に逃げられてしまうという問題がある。
【０００４】
本発明は、上記課題を解決するためになされたものであり、小動物を逃がすことなく確実に捕獲することができる小動物捕獲器を提供することをその目的とする。
【課題を解決するための手段】
【０００５】
上記の目的を達成するため、本発明の小動物捕獲器は、捕獲箱に形成された入口を閉鎖することにより上記入口から侵入した小動物を捕獲する小動物捕獲器であって、
捕獲箱内には、上記入口に臨むようにシーソー板が設けられ、
上記シーソー板は、入口から侵入した小動物が奥に移動することにより奥に向かって傾斜するよう構成されるとともに、入口から侵入した小動物が奥に移動して奥に向かって傾斜した状態で入口を閉鎖するよう構成され、
上記奥に向かって下り傾斜となったシーソー板の傾斜状態を保持してロックするロック機構を備えたことを要旨とする。
【発明の効果】
【０００６】
本発明の小動物捕獲器によれば、上記奥に向かって傾斜したシーソー板の傾斜状態を保持してロックするロック機構を備えているため、小動物が入口から侵入して奥に移動したときに、シーソー板が奥に向かって傾斜したときにロック機構でシーソー板がロックされるため、捕獲した小動物が暴れたとしても逃げられることがない。
【０００７】
本発明において、上記ロック機構は、シーソー板が入口との間に隙間を作る第１段階と入口を閉鎖する第２段階との２段階にシーソー板の傾斜状態を保持してロックする場合には、小動物が入口から侵入して奥に移動したときに、シーソー板が奥に向かって傾斜したときに、まず、シーソー板は、入口との間に隙間を作る第１段階でロックされる。このとき、小動物の尻尾は上記隙間によってシーソー板に挟まれることがないうえ、この状態でシーソー板がロックされることから、箱から外へは逃げることが出来ない。つぎに、尻尾まで捕獲箱内に収容されてから小動物がさらに奥に進んだときに、シーソー板が入口を閉鎖する第２段階でロックされるため、入り込んだ小動物は完全に捕獲箱内に捕獲される。
【０００８】
本発明において、上記第２段階でロックされた状態のシーソー板をロック状態で固定する固定機構を備えている場合には、小動物が捕獲された捕獲箱を取り扱う際に固定機構によりシーソー板をロック状態で固定することにより、捕獲した小動物を確実に逃がすことなく捕獲箱を取り扱うことができる。
【０００９】
本発明において、上記捕獲箱の入口上部には、入口から捕獲箱内に進入した小動物の尻尾がシーソー板と捕獲箱の間に挟まれるのを防止する切欠きが形成されている場合には、小動物が入口から侵入して奥に移動し、シーソー板が奥に向かって傾斜してロック機構でロックされたときに、小動物の尻尾は上記切欠きによってシーソー板に挟まれることがないうえ、この状態でシーソー板がロックされることから、箱から外へは逃げることが出来ず、入り込んだ小動物は完全に捕獲箱内に捕獲される。
【００１０】
本発明において、上記シーソー板の奥側端部には上下変動可能な可動板が連結され、上記可動板は、小動物がシーソー板奥側の所定範囲を超えるまではシーソー板の傾斜状態を初期位置で保持するとともに、小動物が所定範囲を超えてシーソー板奥側に移動したときにシーソー板を奥側に向かって傾斜させるよう構成されている場合には、所定範囲まではシーソー板が動かないため、警戒心の強い小動物が少しのシーソー板の傾斜に警戒して逃げるようなことが少なくなる。そして、小動物が逃げられなくなるまで奥側に移動したときにシーソー板が傾斜してロックされるため、小動物の取り逃がしが大幅に少なくなる。
【００１１】
本発明において、上記捕獲箱には、上記捕獲箱に捕獲された小動物が進入する進入路が並設され、上記進入路には、上記捕獲箱から進入路に進入した小動物が載ることにより上記ロック機構を解除するロック解除手段を備えている場合には、上記捕獲箱から進入路に小動物が進入することにより、小動物がロック解除手段に載ってロックが解除される。そして、捕獲箱のロック機構およびシーソー板は初期状態に復帰して次の小動物の侵入を待つ状態に戻る。このため、小動物捕獲器自体を放置しておいても、一旦捕獲した小動物の進入によって初期状態に復帰して連続的に小動物を捕獲することが可能となる。
【発明を実施するための最良の形態】
【００１２】
以下、本発明の小動物捕獲器の実施の形態について、図面を参照して詳細に説明する。図１〜図４は本発明の一実施形態における小動物捕獲器を示す図である。
【００１３】
図１は、この実施の形態における小動物捕獲器の全体構造を示す斜視図であり、図２（Ａ）は縦断面図、図２（Ｂ）は側面図、図２（Ｃ）はＡ−Ａ断面図である。この小動物捕獲器は、捕獲箱１の横面に形成された入口２を閉鎖することにより上記入口２から侵入した小動物を捕獲するものである。図において、符号９は小動物を誘引するための餌９である。
【００１４】
より詳しく説明すると、上記捕獲箱１は、前後方向に延びる直方体状に形成され、前側の壁面下側に入口２が開口している。また、上記捕獲箱１内には、上記入口２に臨むようにシーソー板３が設けられている。上記シーソー板３は、左右の壁面にわたって設けられた軸４により前後にシーソー式に回動しうるようになっている。
【００１５】
上記シーソー板３は、軸４に対して入口２側が長く、奥側が短くなるように設定されるとともに、シーソー板３の奥側の下面には錘５が取り付けられている。これにより、上記シーソー板３は、初期状態では入口２側から奥に向かって登り傾斜となり、入口２から侵入した小動物がシーソー板３上を奥に移動することにより回動して奥に向かって傾斜するようバランスされている。
【００１６】
さらに、上記シーソー板３は、入口から侵入した小動物が奥に移動して奥に向かって傾斜した状態で、入口側端部３ａが入口２の開口縁２ａの高さを超えることによりシーソー板が入口２を閉鎖するよう構成されている。
【００１７】
また、この小動物捕獲器は、上記奥に向かって下り傾斜となったシーソー板３の傾斜状態を保持してロックするロック機構６を備えている。この例では、上記ロック機構６は、捕獲箱１の入口２寄りの両側外側に設けられている。
【００１８】
図３は、上記ロック機構６を示す部分拡大図である。上記ロック機構６は、板状体が略Ｊ字状に屈曲形成されたロック片１１と、上記ロック片１１を収容する上面開放状の収容部１３と、上記ロック片１１の両端部１１ａ，１１ｂ側を捕獲箱１内に侵入させるための開口１２とを備えて構成されている。
【００１９】
上記ロック片１１は、Ｊ字状の短片の先端が第１端部１１ａ，Ｊ字状の長片の先端が第２端部１１ｂであり、第１端部１１ａを下側に、第２端部１１ｂを上側にした状態で、根元の屈曲部が軸１４によって回動可能に収容部１３に取り付けられている。また、上記ロック片１１には、Ｊ字状の短片の内側に錘１５が取り付けられ、第１端部１１ａおよび第２端部１１ｂが開口１２から捕獲箱１内に侵入した状態で安定するように構成されている。
【００２０】
このような構成により、図４（Ａ）に示す、上記シーソー板３の入口２側端部が下がって奥に向かって登り傾斜となった初期状態では、上記ロック片１１は、第１端部１１ａおよび第２端部１１ｂが開口１２から捕獲箱１内に侵入した状態で安定している。
【００２１】
この状態において、入口２から侵入した小動物がシーソー板３上を奥に移動してシーソー板３が奥に向かって傾斜するよう回動していくと、まず、シーソー板３の入口寄り部は、ロック片１１の短片を押し上げて外側に回動させ、シーソー板３の側面が第１端部１１ａを超えるとロック片１１が元に戻るように回動してシーソー板３が第１端部１１ａの上側に位置する（図示のＬ１位置）。この状態では、シーソー板３の入口２側を下げようとしてもロック片１１の第１端部１１ａに妨げられ、ロックされた状態となる。
【００２２】
そして、この第１段階のロック状態では、図４（Ｂ）に示すように、シーソー板３の入口側端部３ａが入口２の上部開口縁２ａとの間に所定の隙間を作るように構成されている。上記隙間は、侵入した小動物の尻尾を挟まない程度の寸法に設定されている。
【００２３】
ついで、さらに入口２から侵入した小動物がシーソー板３上を奥に移動してシーソー板３が奥に向かって傾斜するよう回動していくと、シーソー板３の入口寄り部は、ロック片１１の長片を押し上げて外側に回動させ、シーソー板３の側面が第２端部１１ｂを超えるとロック片１１が元に戻るように回動してシーソー板３が第２端部１１ｂの上側に位置する（図示のＬ２位置）。この状態では、シーソー板３の入口２側を下げようとしてもロック片１１の第２端部１１ｂに妨げられ、ロックされた状態となる。
【００２４】
そして、この第２段階のロック状態では、図４（Ｃ）に示すように、シーソー板３の入口側端部３ａが入口２の開口縁２ａの高さを超えて入口２を閉鎖するように構成されている。
【００２５】
このように、上記ロック機構１１は、シーソー板３の入口側端部３ａが入口２の上部開口縁２ａとの間に隙間を作る第１段階Ｌ１と、入口側端部３ａが入口２の開口縁２ａの高さを超えて入口２を閉鎖する第２段階Ｌ２との２段階にシーソー板３の傾斜状態を保持してロックするよう構成されている。
【００２６】
また、上記小動物捕獲器は、第２段階Ｌ２でロックされた状態のシーソー板３をロック状態で固定する固定機構１６を備えている。この例では、上記固定機構１６は、捕獲箱１の入口２側の上端部に軸支された板状体の先端にフック１７を備え、上記板状体を回動させてフック１７でシーソー板３の入口側端部３ａを固定するようになっている。
【００２７】
このように、本実施形態の小動物捕獲器によれば、上記奥に向かって傾斜したシーソー板３の傾斜状態を保持してロックするロック機構６は、シーソー板３の入口側端部３ａが入口２との間に隙間を作る第１段階Ｌ１と、入口側端部３ａが入口２を閉鎖する第２段階Ｌ２との２段階にシーソー板３の傾斜状態を保持してロックする。このため、小動物が入口２から侵入して奥に移動したときに、シーソー板３が奥に向かって傾斜したときに、まず、シーソー板３は、入口２との間に隙間を作る第１段階Ｌ１でロックされる。このとき、小動物の尻尾は上記隙間によってシーソー板３に挟まれることがないうえ、この状態でシーソー板３がロックされることから、箱から外へは逃げることが出来ない。
【００２８】
このとき、第１段階のロックが作動するときにかすかなロック音がするため、小動物はその音に反応して振り返り、その際尻尾が隙間から完全に捕獲箱１内に入る。このように、尻尾まで捕獲箱１内に収容されてから小動物がさらに奥に進んだときに、シーソー板３が入口を閉鎖する第２段階でロックされるため、入り込んだ小動物は完全に捕獲箱１内に捕獲される。
【００２９】
また、上記第２段階でロックされた状態のシーソー板３をロック状態で固定する固定機構１６を備えているため、小動物が捕獲された捕獲箱１を取り扱う際に固定機構１６によりシーソー板３をロック状態で固定することにより、捕獲した小動物を確実に逃がすことなく捕獲箱１を取り扱うことができる。
【００３０】
図５は、本発明の第２実施形態を示す。
【００３１】
この例では、上記ロック機構６において、略Ｊ字状に屈曲形成されたロック片１１を収容する収容部１３が、上面開放状の箱体ではなく、略Ｊ字状の根元の屈曲部が遊嵌される遊嵌溝２０が形成されて構成されている。それ以外は、上記第１実施形態と同様であり同様の部分には同じ符号を付している。この例でも上記第１実施形態と同様の作用効果を奏する。
【００３２】
図６は、本発明の第３実施形態を示す。
【００３３】
この例では、上記固定機構１６が、フック１７ではなく、固定ねじ２１により第２段階にロックされたシーソー板３を固定するようになっている。すなわち、捕獲箱１の入口側上部に形成された雌ねじ部２２に、固定ねじ２１の根元の雄ねじ部２２をねじ込み、固定ねじ２１の先端部２１ａにより、ロック片１１の第２端部１１ｂでロックされたシーソー板３の入口側端部３ａを上から押さえつけて固定する。それ以外は、上記第１実施形態と同様であり同様の部分には同じ符号を付している。この例でも上記第１実施形態と同様の作用効果を奏する。
【００３４】
図７は、本発明の第４実施形態を示す。
【００３５】
この例では、捕獲箱１には、上述した入口２、シーソー板３、ロック片１１、開口１２等を備えた第１捕獲通路３１と、上記第１捕獲通路３１と第１扉３５を介して連通する第２捕獲通路３２と、上記第２捕獲通路３２と第２扉３６を介して連通する第３捕獲通路３３と、上記第３捕獲通路３３と連通して捕獲された小動物を収容する捕獲室３４とを備えている。この例では、第１捕獲通路３１が１階部分を構成し、第２捕獲通路３２が２階部分、第３捕獲通路３３が３階部分を構成している。
【００３６】
上記第１扉３５は、ヒンジ構造により、第１捕獲通路３１から第２捕獲通路３２への小動物の通過を可能とし、逆行は不可能となっている。同じく上記第２扉３６は、ヒンジ構造により、第２捕獲通路３２から第３捕獲通路３３への小動物の通過を可能とし、逆行は不可能となっている。また、第３捕獲通路３３の奥側には、餌９が配置された餌室３８が設けられ、餌９の臭いを誘引ファン３７で第１〜第３捕獲通路３１，３２，３３に向かって放散するようになっている。
【００３７】
上記第２捕獲通路３２には、第１捕獲通路３１に捕獲されて第２捕獲通路３２を通過する小動物で作動する第２シーソー板２５が軸２９によって軸支されている。第２シーソー板２５の小動物進行方向で手前側の端部はストッパ２８により、上昇が制限されている。さらに、第２シーソー板２５の小動物進行方向で手前側の端部には、連結棒２７の一端が連結され、この連結棒２７の他端は、軸４に軸支された解除板２６の一端に連結されている。上記解除板２６の他端は、ロック片１１の短片の下側に配置されている。また、上記第２シーソー板２５の奥側には錘３９が取り付けられている。
【００３８】
これにより、小動物が第１捕獲通路３１に捕獲されると、シーソー板３の端部はロック片１１の第２端部によりロックされ、その後小動物が第２捕獲通路３２を通過する際に、第２シーソー板２５の手前から奥に向かって移動する際に、第２シーソー板２５の手前を踏むと、第２シーソー板２５が手前側に傾斜する。このとき、連結棒２７が押し下げられて解除板２６の一端が押し下げられるとともに、解除板２６の先端が押し上げられ、ロック片１１のロック状態を解除し、シーソー板３が初期状態に戻るようになっている。
【００３９】
このように、捕獲された小動物が第１捕獲通路から第２捕獲通路を通過することにより、ロック片１１の自動解除および初期状態への復帰がなされることにより、連続して小動物を捕獲することができる。すなわち、上記第２シーソー板２５、連結棒２７、解除板２６、ストッパ２８、錘３９等は、捕獲された小動物の通過によって動作してロック片１１の自動解除を行なう解除手段およびシーソー板３の初期状態への復帰を行なう復帰手段として機能する。
【００４０】
図８は、本発明の第５実施形態を示す。
【００４１】
この例では、ロック機構６は、シーソー板３の下面に取り付けられた羽根板１８と、捕獲箱１の底部に形成された第１突起１９ａおよび第２突起１９ｂとを備えて構成されている。
【００４２】
すなわち、シーソー板３の下面に羽根板１８が根元のヒンジ部２３を基点にして前後回動可能になっている。そして、上記シーソー板３の入口２側端部が下がって奥に向かって登り傾斜となった初期状態から、小動物が入口２から侵入してシーソー板３上を奥に移動してシーソー板３が奥に向かって傾斜するよう回動していくと、羽根板１８が下端部を捕獲箱１の底部をすべって徐々に起き上がるよう回動し、やがて第１突起１９ａを乗り越え、その状態で第１段階のロック状態となる。ついで、さらに入口２から侵入した小動物がシーソー板３上を奥に移動してシーソー板３が奥に向かって傾斜するよう回動していくと、羽根板１８が下端部を捕獲箱１の底部をすべってさらに起き上がるよう回動し、やがて第２突起１９ｂを乗り越え、その状態で第２段階のロック状態となる。それ以外は、上記第１実施形態と同様であり同様の部分には同じ符号を付している。この例でも上記第１実施形態と同様の作用効果を奏する。
【００４３】
図９は、本発明の第６実施形態を示す。
【００４４】
この実施形態は、上記捕獲箱１の入口２上部に、入口２から捕獲箱１内に進入した小動物の尻尾がシーソー板３と捕獲箱１の間に挟まれるのを防止する切欠きとしてのスリット４０が複数形成されている。
【００４５】
すなわち、図９（Ａ）に示すように、上記捕獲箱１は、入口２上部の壁面に、入口２の開口縁から上方に向かって延びるスリット４０が複数形成されている。また、この例では、ロック機構６は、図９（Ｂ）に示すように、板状体が略Ｊ字状に屈曲形成されたロック片４１が上面開放状の収容部４３に収容され、上記ロック片４１のＪ字状の長片の先端４１ａを捕獲箱１内に侵入させるための開口４２とを備えて構成されている。
【００４６】
上記ロック片１１は、Ｊ字状の短片を上側にした状態で、根元の屈曲部が軸１４によって回動可能に収容部４３に取り付けられている。また、上記ロック片１１には、Ｊ字状の長片の内側に錘１５が取り付けられ、Ｊ字状の長片の先端４１ａが開口４２から捕獲箱１内に侵入した状態で安定するように構成されている。
【００４７】
したがって、このロック機構６は、２段階ロックではなく、シーソー板３が奥に向かって傾斜し、入口２を塞ぐ高さ（図示のＬ２位置）でシーソー板３をロックするように構成されている。それ以外は、上記各実施形態と同様であり同様の部分には同じ符号を付している。
【００４８】
これにより、小動物が入口２から侵入して奥に移動し、シーソー板３が奥に向かって傾斜してロック機構６でロックされたときに、小動物の尻尾は上記スリット４０によってシーソー板３に挟まれることがないうえ、この状態でシーソー板３がロックされることから、箱から外へは逃げることが出来ず、入り込んだ小動物は完全に捕獲箱１内に捕獲される。また、上にスリット４０の下端開口はＲが形成され、小動物の尻尾が引っかかったり挟まったりするのを防止するようになっている。それ以外は、上記各実施形態と同様の作用効果を奏する。
【００４９】
図１０は、本発明の第７実施形態を示す。
【００５０】
この実施形態は、上記シーソー板３の奥側端部には上下変動可能な金属製の可動板４５が連結され、上記可動板４５は、小動物がシーソー板３奥側の所定範囲を超えるまではシーソー板３の傾斜状態を初期位置で保持するとともに、小動物が所定範囲を超えてシーソー板３奥側に移動したときにシーソー板３を奥側に向かって傾斜させるよう構成されている。
【００５１】
すなわち、上記可動板４５は、その手前側の端部がシーソー板３の奥側の端部と蝶番４６により連結されている。また、シーソー板３が入口２側から奥に向かって上り傾斜となる初期状態において、上記可動板４５は、奥に向かって若干下り傾斜となるよう、奥側の高さ位置がストッパ４７により位置決めされている。そして、この状態で、上記可動板４５は、その奥側端部が、捕獲箱１の底部に設けられた台４８上に取り付けられた磁石４９で吸引されている。
【００５２】
この実施形態では、図示していないが、図３または図９（Ｂ）に示したものと同様のロック機構６を備えている。
【００５３】
この状態から、入口２から小動物が侵入してシーソー板３上を奥に向かって移動すると、シーソー板３の軸４を過ぎて少し行くまでは、可動板４５の奥側端部が磁石４９で吸引されているため、シーソー板３は動かない。そして、小動物がさらに奥側に移動して可動板４５の手前側に加わる荷重が大きくなったときに、可動板４５の奥側端部は磁石４９の吸引から離れ、シーソー板３は一気に奥側へ向かって回動することとなる。この回動により、シーソー板３は図示しないロック機構６でロックされる。
【００５４】
上記ストッパ４７は、初期位置のシーソー板３の奥端部から磁石４９表面に向かって延びる仮想線に沿って左右に移動可能になっている。例えば、捕獲箱１の左右の壁面に上記仮想線に沿うスリット状の嵌合穴を設けておき、両嵌合穴に棒状のストッパ４７を差し込んで、ストッパ４７を移動可能に取り付けることができる。
【００５５】
このようにすることにより、入口２から小動物が侵入してシーソー板３上を奥に向かって移動したときに、シーソー板が一気に回動を始めるときの荷重を調節することができる。
【００５６】
このように、この実施形態では、所定範囲まではシーソー板３が動かないため、警戒心の強い小動物が少しのシーソー板３の傾斜に警戒して逃げるようなことが少なくなる。そして、小動物が逃げられなくなるまで奥側に移動したときにシーソー板３が傾斜してロックされるため、小動物の取り逃がしが大幅に少なくなる。それ以外は、上記各実施形態と同様であり同様の部分には同じ符号を付している。また、上記以外は、上記各実施形態と同様の作用効果を奏する。
【００５７】
図１１および図１２は、本発明の第８実施形態を示す。
【００５８】
図１１は横断面図、図１２（Ａ）はＡ−Ａ断面図、（Ｂ）はＢ−Ｂ断面図、（Ｃ）はＣ−Ｃ断面図である。
【００５９】
この実施形態は、上記捕獲箱１には、上記捕獲箱１に捕獲された小動物が進入する進入路５０が並設され、上記進入路５０には、上記捕獲箱１から進入路５０に進入した小動物が載ることにより上記ロック機構６を解除するロック解除手段を備えている。
【００６０】
すなわち、この実施形態は、上述したのと同様のシーソー板３およびロック機構６が設けられた捕獲箱１に、進入路５０および収容室５１が並設され、捕獲箱１に進入して捕獲された小動物が、第１扉５２を通過して進入路５０に進入し、さらに第２扉５３を通過して収容室５１に収容されるようになっている。
【００６１】
上記第１扉５２は、小動物が捕獲箱１から進入路５０側に通過するのを可能として逆行が不可能となっている。同様に、第２扉５３は、小動物が進入路５０から収容室５１側に通過するのを可能として逆行が不可能となっている。これにより、捕獲箱１の入口２から侵入して捕獲箱１に捕獲された小動物は、捕獲箱１の奥側に設けられた第１扉５２を通過し、その後進入路５０を通って第１扉５２と反対側に設けられた第２扉５２を通過し、最終的には収容室５１に収容される。
【００６２】
この例では、上記ロック機構６は、捕獲箱１の進入路５０側の壁面に設けられ、反対側には設けられず、片側だけに設けられている。そして、上記進入路５０に、捕獲箱１の進入路５０側の壁面に設けられたロック機構６のロックを解除するロック解除手段が設けられている。上記ロック解除手段は、第１扉５２から侵入した小動物が進入路５０を第２扉５３に向かって移動することにより作動するように構成されている。
【００６３】
上記ロック解除手段は、進入路５０の第１扉５２側から第２扉５３側にわたって設けられた第２シーソー板５４、上記第２シーソー板５４を軸支する軸５５、上記第２シーソー板５４下面のロック機構６近傍に設けられた押下板５６、上記ロック機構６のロック片４１を復帰させるための吊糸５７から構成されている。
【００６４】
上記第２シーソー板５４は、進入路５０の第１扉５２側から第２扉５３側に向かって上り傾斜となる状態が初期位置となっている。そして、第２扉５３側すなわちロック機構６側の下面に、押下板５６が垂下している。
【００６５】
上記ロック機構６は、軸１４を中心に回動するロック片４１が吊糸５７で反対側の壁面に連結されていて、上記吊糸５７が押下板５６で押下されることにより回動してロックを解除しうるように構成されている。
【００６６】
したがって、捕獲箱１から第１扉５２を通って進入路５０に進入した小動物が、第２シーソー板５４上に載って第２扉５３側に移動するときに、小動物の重みで第２シーソー板５４が回動して押下板５６が下がり、吊糸５７が押下板５６で押下されてロック片４１がロック方向とは反対側に回動してロックが解除される。これにより、捕獲箱１のシーソー板３は初期位置に戻る。その後、小動物が第２扉５３から収容室５１に移動すると、第２シーソー板５４も初期位置に戻る。この状態で、次の小動物の侵入を待ち受ける。
【００６７】
この例によれば、上記捕獲箱１から進入路５０に小動物が進入することにより、小動物がロック解除手段に載ってロックが解除される。そして、捕獲箱１のロック機構６およびシーソー板３は初期状態に復帰して次の小動物の侵入を待つ状態に戻る。このため、小動物捕獲器自体を放置しておいても、一旦捕獲した小動物の進入によって初期状態に復帰して連続的に小動物を捕獲することが可能となる。それ以外は、上記各実施形態と同様であり同様の部分には同じ符号を付している。また、上記以外は、上記各実施形態と同様の作用効果を奏する。
【００６８】
なお、上記各実施の形態において、捕獲箱１、シーソー板３、ロック片１１、羽根板１８、第１および第２突起１９ａ，１９ｂ等の部材同士が接触するところに、耐震ゴムを介在させることにより、小動物を捕獲した際に他の小動物が捕獲装置であることを学習して捕獲しにくくなることを防ぐことができ、クマネズミ等の警戒心の強い小動物を捕獲する場合等に有効である。
【図面の簡単な説明】
【００６９】
【図１】本発明の第１実施の形態における小動捕獲器を示す斜視図である。
【図２】上記小動物捕獲器を示す図であり、（Ａ）は縦断面図、（Ｂ）は側面図、（Ｃ）はＡ−Ａ断面図である。
【図３】上記小動物捕獲器の要部を示す図であり、（Ａ）はＡ−Ａ断面、（Ｂ）は側面図である。
【図４】上記小動物捕獲器の作用を示す断面図である。
【図５】本発明の第２実施の形態における小動捕獲器の要部を示す図である。
【図６】本発明の第３実施の形態における小動捕獲器の要部を示す図である。
【図７】本発明の第４実施の形態における小動捕獲器の要部を示す図である。
【図８】本発明の第５実施の形態における小動捕獲器の要部を示す図である。
【図９】本発明の第６実施の形態における小動捕獲器の要部を示す図である。
【図１０】本発明の第７実施の形態における小動捕獲器の要部を示す図である。
【図１１】本発明の第８実施の形態における小動捕獲器を示す図である。
【図１２】本発明の第８実施の形態における小動捕獲器を示す断面図である。
【符号の説明】
【００７０】
１：捕獲箱
２：入口
２ａ：開口縁
３：シーソー板
３ａ：入口側端部
４：軸
５：錘
６：ロック機構
９：餌
１１：ロック片
１１ａ：第１端部
１１ｂ：第２端部
１２：開口
１３：収容部
１４：軸
１５：錘
１６：固定機構
１７：フック
１８：羽根板
１９ａ：第１突起
１９ｂ：第２突起
２０：遊嵌溝
２１：固定ねじ
２１ａ：先端部
２２：雌ねじ部
２３：ヒンジ部
２５：第２シーソー板
２６：解除板
２７：連結棒
２８：ストッパ
２９：軸
３１：第１捕獲通路
３２：第２捕獲通路
３３：第３捕獲通路
３４：捕獲室
３５：第１扉
３６：第２扉
３７：誘引ファン
３８：餌室
３９：錘
４０：スリット
４１：ロック片
４１ａ：先端
４２：開口
４３：収容部
４５：可動板
４６：蝶番
４７：ストッパ
４８：台
４９：磁石
５０：進入路
５１：収容室
５２：第１扉
５３：第２扉
５４：第２シーソー板
５５：軸
５６：押下板
５７：吊糸
【図１】
2009183274.tif 000003
【図２】
2009183274.tif 000004
【図３】
2009183274.tif 000005
【図４】
2009183274.tif 000006
【図５】
2009183274.tif 000007
【図６】
2009183274.tif 000008
【図７】
2009183274.tif 000009
【図８】
2009183274.tif 000010
【図９】
2009183274.tif 000011
【図１０】
2009183274.tif 000012
【図１１】
2009183274.tif 000013
【図１２】
2009183274.tif 000014